(57)【特許請求の範囲】
【請求項１】
折板屋根のハゼ部にパネルを取り付ける取付具であって、
前記ハゼ部を挟持する一対の挟持部材と、前記一対の挟持部材を連結する連結具と、を備え、
前記一対の挟持部材のうちの一方である第１挟持部材は、前記ハゼ部の上方で前記パネルを支持する支持部と、前記ハゼ部の両側面のうちの一方に当接する第１当接端部と、前記支持部と前記第１当接端部とを接続する第１接続部と、を有し、
前記一対の挟持部材のうち他方である第２挟持部材は、前記支持部が載置されるベース部と、前記ハゼ部の両側面のうち他方に当接する第２当接端部と、前記ベース部と前記第２当接端部とを接続する第２接続部と、を有し、
前記連結具は、前記支持部及び前記ベース部を上下に貫通する軸部と、前記支持部及び前記ベース部を上下から挟むように前記軸部に設けられた上側の締結部及び下側の締結部と、前記支持部と前記上側の締結部との間に設けられ、前記上側の締結部を上方向に付勢する付勢部材と、を含み、
前記上側の締結部及び前記下側の締結部は、前記軸部回りに相対回動することで前記軸部の軸方向における互いの距離を変更可能であり、
前記上側の締結部及び前記下側の締結部によって前記支持部と前記ベース部とが締結された締結状態では、前記一対の挟持部材は、前記ハゼ部を前記第１当接端部と前記第２当接端部とによって挟持可能な第１の姿勢に固定され、
前記締結状態のときよりも前記上側の締結部と前記下側の締結部とが離間することで前記締結が解除された解除状態では、前記上側の締結部が前記付勢部材により上方に付勢されることで、前記一対の挟持部材の前記第１の姿勢が維持されるように前記下側の締結部が前記ベース部を前記支持部へ押しつけ、前記付勢部材の付勢力に抗して前記上側の締結部が下方に押し込まれると、前記下側の締結部による前記ベース部の押しつけが解除されることで、前記一対の挟持部材が、前記ハゼ部を前記第１当接端部と前記第２当接端部との間に受け入れ可能な第２の姿勢となる、
パネルの取付具。
【請求項２】
前記下側の締結部は、外周面にネジ溝が形成された前記軸部と前記軸部の一端に前記軸部よりも拡径して形成された頭部とを含むボルト部材における、前記頭部であり、
前記上側の締結部は、内周面にネジ溝が形成され、前記軸部に係合したナット部材である、
請求項１に記載のパネル取付具。
【請求項３】
前記付勢部材は、螺旋状に巻回された線材により形成されると共に前記支持部と前記上側の締結部との間において前記軸部に装着されたコイルスプリングであり、
前記コイルスプリングは、前記軸部の軸方向に伸縮する伸縮部を含み、
前記伸縮部における前記線材は、前記軸部の軸方向において前記線材が重ならないように、前記軸方向に沿って徐々に縮径するように巻回されている、
請求項１又は２に記載のパネル取付具。
【請求項４】
前記伸縮部における前記線材は、前記軸部の軸方向に沿って下側から上側に向かうに従って縮径するように巻回されている、
請求項３に記載のパネル取付具。
【請求項５】
前記連結具は、前記コイルスプリングと前記上側の締結部との間において前記軸部に装着されたワッシャーを更に含み、
前記ワッシャーは、外周縁から内周縁に向かうに従って上側へ傾斜した環状に形成されている、
請求項４に記載のパネル取付具。
【請求項６】
前記第１挟持部材は、前記支持部から下方に突出した突出部を有し、
前記第２挟持部材は、前記第１の姿勢において前記突出部と係合する係合部を有し、
前記第１の姿勢では、前記係合部が前記突出部に係合することで、前記第２挟持部材が前記第１挟持部材に対して所定の位置に位置決めされ、
前記第２の姿勢から前記第１の姿勢に至る過程では、前記係合部が前記突出部をスライドすることで前記第２挟持部材が前記所定の位置に案内される、
請求項１から５の何れか一項に記載のパネル取付具。
【請求項７】
前記軸部に取り付けられ、前記支持部に支持された前記パネルを上から押さえつけることで前記支持部との間に前記パネルを挟着する挟着部材を更に備える、
請求項１から６の何れか一項に記載のパネル取付具。
【発明の詳細な説明】
【技術分野】
【０００１】
本発明は、折板屋根上にパネルを取り付ける取付具に関する。
【背景技術】
【０００２】
特許文献１〜３には、略コ状に形成して対向させる左右一対のつかみ部と、両つかみ部の台座部を重ねて一体に結合するボルト及びナットとからなり、対向した両つかみ部の爪片で折板屋根のハゼ部を挟着し得るようにしてなる太陽光電池パネルの支持金具が記載されている。上述の技術は、一方のつかみ部が他方のつかみ部に回動自在に枢着されており、両つかみ部の相対回転により左右の爪片の間隔を拡開することで、ハゼ部を挟み込めるように構成されている。
【０００３】
特許文献２には、
【先行技術文献】
【特許文献】
【０００４】
【特許文献１】特開２０１６−１５６１４１号公報
【特許文献２】特開２０１９−１８３４００号公報
【特許文献３】特開２０１６−７９７９６号公報
【発明の概要】
【発明が解決しようとする課題】
【０００５】
上述の従来技術において折板屋根上に太陽光発電パネルを取り付ける場合、折板屋根のハゼ部を左右の爪片で挟み込んだ状態を作業者の手によって保持しながらボルト及びナットによる締結作業を行う必要がある。そのため、作業が煩雑となり、非常に手間がかかるという問題があった。
【０００６】
そこで、本発明は、折板屋根にパネルを設置する作業を容易化する技術の提供を目的とする。
【課題を解決するための手段】
【０００７】
上記課題を解決するため、本発明は、以下の構成を採用した。即ち、本発明は、折板屋根のハゼ部にパネルを取り付ける取付具であって、前記ハゼ部を挟持する一対の挟持部材と、前記一対の挟持部材を連結する連結具と、を備え、前記一対の挟持部材のうちの一方である第１挟持部材は、前記ハゼ部の上方で前記パネルを支持する支持部と、前記ハゼ部の両側面のうちの一方に当接する第１当接端部と、前記支持部と前記第１当接端部とを接続する第１接続部と、を有し、前記一対の挟持部材のうち他方である第２挟持部材は、前記支持部が載置されるベース部と、前記ハゼ部の両側面のうち他方に当接する第２当接端部と、前記ベース部と前記第２当接端部とを接続する第２接続部と、を有し、前記連結具は、前記支持部及び前記ベース部を上下に貫通する軸部と、前記支持部及び前記ベース部を上下から挟むように前記軸部に設けられた上側の締結部及び下側の締結部と、前記支持部と前記上側の締結部との間に設けられ、前記上側の締結部を上方向に付勢する付勢部材と、を含み、前記上側の締結部及び前記下側の締結部は、前記軸部回りに相対回動することで前記軸部の軸方向における互いの距離を変更可能であり、前記上側の締結部及び前記下側の締結部によって前記支持部と前記ベース部とが締結された締結状態では、前記一対の挟持部材は、前記ハゼ部を前記第１当接端部と前記第２当接端部とによって挟持可能な第１の姿勢に固定され、前記締結状態のときよりも前記上側の締結部と前記下側の締結部とが離間することで前記締結が解除された解除状態では、前記上側の締結部が前記付勢部
材により上方に付勢されることで、前記一対の挟持部材の前記第１の姿勢が維持されるように前記下側の締結部が前記ベース部を前記支持部へ押しつけ、前記付勢部材の付勢力に抗して前記上側の締結部が下方に押し込まれると、前記下側の締結部による前記ベース部の押しつけが解除されることで、前記一対の挟持部材が、前記ハゼ部を前記第１当接端部と前記第２当接端部との間に受け入れ可能な第２の姿勢となる、
パネルの取付具である。
【０００８】
これによると、上側の締結部材を下方に押し込んで一対の挟持部材を第２の姿勢にしてハゼ部を第１当接端部と第２当接端部との間に受け入れた状態で、上側の締結部材に対する下方に押し込みを解除するのみで、付勢部材の付勢力によって挟持部材が第２の姿勢から第１の姿勢に至り、ハゼ部が一対の挟持部材に挟持されることとなる。そして、付勢部材の付勢力によって一対の挟持部材の第１の姿勢が維持されるため、ハゼ部が一対の挟持部材に挟持された状態も維持される。これによれば、一対の挟持部材を第２の姿勢から第１の姿勢へ変化させる動作や第１の姿勢を維持させる動作が付勢部材の付勢力によってなされるため、作業者の手によって動作を行う負担が低減される。その結果、折板屋根にパネルを設置する作業を容易化できる。
【０００９】
本発明において取付けの対象となるパネルは、少なくとも取付具に支持される部分がパネル状であればよい。パネルとしては、例えば、太陽光発電パネルや、看板、表示装置、エアコンの室外機を固定するためのパネルなどが挙げられる。
【００１０】
また、本発明において、前記下側の締結部は、外周面にネジ溝が形成された前記軸部と前記軸部の一端に前記軸部よりも拡径して形成された頭部とを含むボルト部材における、前記頭部であり、前記上側の締結部は、内周面にネジ溝が形成され、前記軸部に係合したナット部材であってもよい。
【００１１】
また、本発明において、前記付勢部材は、螺旋状に巻回された線材により形成されると共に前記支持部と前記上側の締結部との間において前記軸部に装着されたコイルスプリングであり、前記コイルスプリングは、前記軸部の軸方向に伸縮する伸縮部を含み、前記伸縮部における前記線材は、前記軸部の軸方向において前記線材が重ならないように、前記軸方向に沿って徐々に縮径するように巻回されていてもよい。
【００１２】
また、本発明において、前記伸縮部における前記線材は、前記軸部の軸方向に沿って下側から上側に向かうに従って縮径するように巻回されていてもよい。
【００１３】
また、本発明において、前記連結具は、前記コイルスプリングと前記上側の締結部との間において前記軸部に装着されたワッシャーを更に含み、前記ワッシャーは、外周縁から内周縁に向かうに従って上側へ傾斜した環状に形成されていてもよい。
【００１４】
また、本発明において、前記第１挟持部材は、前記支持部から下方に突出した突出部を有し、前記第２挟持部材は、前記第１の姿勢において前記突出部と係合する係合部を有し、前記第１の姿勢では、前記係合部が前記突出部に係合することで、前記第２挟持部材が前記第１挟持部材に対して所定の位置に位置決めされ、前記第２の姿勢から前記第１の姿勢に至る過程では、前記係合部が前記突出部をスライドすることで前記第２挟持部材が前記所定の位置に案内されてもよい。
【００１５】
また、本発明において、前記軸部に取り付けられ、前記支持部に支持された前記パネルを上から押さえつけることで前記支持部との間に前記パネルを挟着する挟着部材を更に備えてもよい。
【発明の効果】
【００１６】
本発明によれば、折板屋根にパネルを設置する作業を容易化できる。
【図面の簡単な説明】
【００１７】
【図１】実施形態に係る取付具によって太陽光発電パネルが折板屋根に取り付けられた状態を示す図である。
【図２】実施形態に係るミドル用の取付具によって太陽光発電パネルがハゼ部に取り付けられた状態を示すＸ方向視図である。
【図３】実施形態に係るミドル用の取付具によって太陽光発電パネルがハゼ部に取り付けられた状態を示すＹ方向視図である。
【図４】実施形態に係るミドル用の取付具がハゼ部に固定される前の状態を示すＸ方向視図である。
【図５】実施形態に係るミドル用の取付具の分解斜視図である。
【図６】実施形態に係るコイルスプリングを示す図であって、図５（ａ）はコイルスプリングの側面図、図５（ｂ）はコイルスプリングの軸方向視図である。
【図７】実施形態に係るコイルスプリングとワッシャーの状態を示す断面図である。
【図８】実施形態に係るエンド用の取付具によって太陽光発電パネルがハゼ部に取り付けられた状態を示すＸ方向視図である。
【図９】実施形態に係るエンド用の取付具によって太陽光発電パネルがハゼ部に取り付けられた状態を示すＹ方向視図である。
【図１０】実施形態に係るエンド用の取付具の分解斜視図である。
【図１１】実施形態に係るミドル用の取付具をハゼ部に固定する方法を説明するための図（１）である。
【図１２】実施形態に係るミドル用の取付具をハゼ部に固定する方法を説明するための図（２）である。
【図１３】実施形態に係るミドル用の取付具をハゼ部に固定する方法を説明するための図（３）である。
【図１４】実施形態に係るミドル用の取付具をハゼ部に固定する方法を説明するための図（４）である。
【図１５】実施形態に係るミドル用の取付具をハゼ部に固定する方法を説明するための図（５）である。
【図１６】実施形態に係るミドル用の取付具の締結状態におけるコイルスプリング及びワッシャーの状態を模式的に示す断面図である。
【図１７】実施形態の変形例に係るミドル用の取付具を示す図である。
【発明を実施するための形態】
【００１８】
次に、本発明の実施形態について図面に基づいて説明する。実施形態では、太陽光発電パネルを折板屋根へ取り付けるための取付具に本発明を適用した例を説明する。なお、以下の説明は例示であり、本発明は以下の内容に限定されるものではない。
【００１９】
図１は、実施形態に係る取付具によって太陽光発電パネルが折板屋根１００に取り付けられた状態を示す図である。図１に示す折板屋根１００は、板金加工により複数の板を折り曲げて接続することで形成されている。折板屋根１００には、板金同士の接続部分によって複数の起立したハゼ部１０１が形成されている。本例に係る折板屋根１００は、いわゆる縦葺き屋根であり、ハゼ部１０１は、折板屋根１００の勾配（流れ方向）に沿って延在している。但し、折板屋根１００は、縦葺きに限らず、横葺きであってもよい。ハゼ部１０１に取付具１０，２０が固定され、取付具１０，２０に太陽光発電パネルＰ１が固定されることで、太陽光発電パネルＰ１が折板屋根１００に取り付けられている。
【００２０】
［太陽光発電パネル］
太陽光発電パネルＰ１は、本発明に係る「パネル」の一例である。実施形態に係る太陽光発電パネルＰ１は、略矩形状の板状に形成されており、折板屋根１００に寝かされた姿勢で設置されている。ここで、太陽光発電パネルＰ１の「下面」とは、太陽光発電パネルＰ１が折板屋根１００に設置されたときに折板屋根１００に対向する面のことを指す。また、太陽光発電パネルＰ１の「上面」とは、太陽光発電パネルＰ１が折板屋根１００に設置されたときに折板屋根１００とは反対側の面のことを指す。太陽光発電パネルＰ１は、上面で光を受光して発電可能に構成されている。図１に示すように、本例では、２枚の太陽光発電パネルＰ１がハゼ部１０１の延在方向に並んで配置されている。太陽光発電パネルＰ１は、それぞれ、２本のハゼ部１０１に架け渡された状態で取り付けられている。但し、太陽光発電パネルＰ１の枚数やハゼ部１０１の本数はこれに限定されない。
【００２１】
［取付具］
取付具１０及び取付具２０は、本発明に係る「取付具」の一例である。取付具１０は、ミドル用のクランプであり、ハゼ部１０１の延在方向に並んで配置された複数の太陽光発電パネルＰ１において、互いに対向する縁部をハゼ部１０１に固定するために用いられる。取付具２０は、エンド用のクランプであり、ハゼ部１０１の延在方向に並んで配置された複数の太陽光発電パネルＰ１において、ハゼ部１０１の延在方向の両端に位置する縁部をハゼ部１０１に固定するために用いられる。
【００２２】
以下、取付具１０及び取付具２０の構成について説明する。以下の説明において、取付具１０，２０がハゼ部１０１に固定されたときの上下方向に対応する方向をＺ方向とし、ハゼ部１０１の延在方向に対応する方向をＸ方向とし、ハゼ部１０１の幅方向に対応する方向をＸ方向とする。Ｘ方向とＹ方向は、互いに直交している。
【００２３】
［ミドル用の取付具］
まず、取付具１０について説明する。図２は、取付具１０によって太陽光発電パネルＰ１がハゼ部１０１に取り付けられた状態を示すＸ方向視図である。図３は、取付具１０によって太陽光発電パネルＰ１がハゼ部１０１に取り付けられた状態を示すＹ方向視図である。図４は、取付具１０がハゼ部１０１に固定される前の状態を示すＸ方向視図である。図５は、取付具１０の分解斜視図である。
【００２４】
図２及び図３に示すように、取付具１０は、ハゼ部１０１を挟持する一対の挟持部材１，２と、一対の挟持部材１，２を連結する連結具３と、太陽光発電パネルＰ１を上から押さえつける挟着部材４と、を備える。取付具１０は、一対の挟持部材１，２によってハゼ部１０１の両側面を挟持することでハゼ部１０１に取り付けられる。ここで、一対の挟持部材１，２の姿勢であって図２等に示すようにハゼ部１０１を挟持可能な姿勢を、「第１の姿勢」とする。また、ハゼ部１０１の両側面のうちの一方を第１側面Ｓ１とし、他方を第２側面Ｓ２とする。また、Ｙ方向において第２側面Ｓ２から第１側面Ｓ１に向かう方向を第１方向Ｆ１とし、その反対方向（即ち、第１側面Ｓ１から第２側面Ｓ２に向かう方向）を第２方向Ｆ２とする。
【００２５】
［第１挟持部材］
図２等に示すように、一対の挟持部材１，２のうちの一方である第１挟持部材１は、ハゼ部１０１の上方で太陽光発電パネルＰ１を支持する支持部１１と、ハゼ部１０１の第１側面Ｓ１に当接する第１当接端部１２と、支持部１１と第１当接端部１２とを接続する第１接続部１３と、支持部１１から下方に突出した突出部１４と、を有する。
【００２６】
図２等に示すように、支持部１１は、本体部１１１と一対の起立部１１２，１１２と一対の載置部１１３，１１３とを有する。本体部１１１は、連結具３を介して第２挟持部材２と連結される部分であり、Ｚ方向に直交すると共にＸ方向に長尺な矩形状の板状に形成
されている。図５に示すように、本体部１１１には、連結具３の軸部３１１が挿入される孔である貫通孔１１ａがＺ方向に貫通している。一対の起立部１１２，１１２は、本体部１１１のＹ方向の両側端から上方に延びる板状に形成されている。一対の載置部１１３，１１３は、図２に示すように太陽光発電パネルＰ１が載置される部分である。載置部１１３は、起立部１１２の上端に設けられており、Ｚ方向と直交する板状に形成されている。本体部１１１の貫通孔１１ａに連結具３の軸部３１１を挿入できるように、一対の載置部１１３，１１３同士の間には隙間が形成されている。
【００２７】
図２等に示すように、第１接続部１３は、本体部１１１の第１方向Ｆ１側の側端から下方に延在する板状に形成されている。
【００２８】
図２等に示すように、第１当接端部１２は、第１接続部１３の下端から第２方向Ｆ２へ延在する板状に形成されており、その先端において第１側面Ｓ１に当接する。
【００２９】
図２等に示すように、突出部１４は、本体部１１１の第２方向Ｆ２側の側端から下方に延在する板状に形成されている。突出部１４は、下方に向かうに従って第２方向Ｆ２側へ傾斜している。
【００３０】
［第２挟持部材］
図２等に示すように、一対の挟持部材１，２のうち他方である第２挟持部材２は、支持部１１の本体部１１１が載置されるベース部２１と、ハゼ部１０１の第２側面Ｓ２に当接する第２当接端部２２と、ベース部２１と第２当接端部２２とを接続する第２接続部２３と、第１の姿勢において突出部１４と係合する係合部２４と、を有する。
【００３１】
図２等に示すように、ベース部２１は、連結具３を介して第１挟持部材１の本体部１１１と連結される部分であり、Ｚ方向に直交すると共にＸ方向に長尺な矩形状の板状に形成されている。図５に示すように、ベース部２１には、連結具３の軸部３１１が挿入される孔である貫通孔２１ａがＺ方向に貫通している。また、図２等に示すように、ベース部２１の下面には、規制部２１ｂが形成されている。
【００３２】
図２等に示すように、第２接続部２３は、ベース部２１の第２方向Ｆ２側の側端から下方に延在する板状に形成されている。
【００３３】
図２等に示すように、第２当接端部２２は、第２接続部２３の下端から第１方向Ｆ１へ延在する板状に形成されており、その先端において第２側面Ｓ２に当接する。
【００３４】
図２等に示すように、係合部２４は、第２接続部２３の第２方向Ｆ２側の側面の一部であり、一対の挟持部材１，２が第１の姿勢にあるときに突出部１４を受け入れる溝の壁面として形成されている。係合部２４は、下方に向かうに従って第２方向Ｆ２側へ傾斜している。
【００３５】
図２等に示すように、第１の姿勢では、係合部２４が突出部１４に係合することで、第２挟持部材２が第１挟持部材１に対して所定の位置に位置決めされている。
【００３６】
［挟着部材］
図３に示すように、挟着部材４は、軸部３１１に取り付けられ、支持部１１に支持された太陽光発電パネルＰ１を上から押さえつけることで支持部１１との間に太陽光発電パネルＰ１を挟着する部材である。挟着部材４は、ミドル用であり、ハゼ部１０１の延在方向（Ｘ方向）に隣り合う２枚の太陽光発電パネルＰ１における互いに対向する縁部を上から押さえつける。挟着部材４は、取付部４１と一対の起立部４２，４２と押圧部４３とを含
む。
【００３７】
取付部４１は、連結具３を介して第１挟持部材１の本体部１１１と連結される部分であり、Ｚ方向に直交すると共にＹ方向に長尺な矩形状の板状に形成されている。図５に示すように、取付部４１には、連結具３の軸部３１１が挿入される孔である貫通孔４１ａがＺ方向に貫通している。一対の起立部４２，４２は、本体部１１１のＸ方向の両側端から上方に延びる板状に形成されている。図３に示すように、起立部４２が太陽光発電パネルＰ１の側縁にＸ方向から当接することで、太陽光発電パネルＰ１のＸ方向における位置ずれが規制されている。一対の押圧部４３，４３は、図３に示すように太陽光発電パネルＰ１を上から押圧する部分である。押圧部４３は、起立部４２の上端に設けられており、Ｚ方向と直交する板状に形成されている。取付部４１の貫通孔４１ａに連結具３の軸部３１１を挿入できるように、一対の押圧部４３，４３同士の間には隙間が形成されている。押圧部４３が太陽光発電パネルＰ１の縁部を上から押圧することで、太陽光発電パネルＰ１が挟着部材４の押圧部４３と支持部１１の載置部１１３との間に挟着される。
【００３８】
［連結具］
図４及び図５に示すように、連結具３は、ボルト部材３１とナット部材３２とコイルスプリング３３とワッシャー３４とナット部材３５とを含む。
【００３９】
図５に示すように、ボルト部材３１は、外周面にネジ溝が形成された軸部３１１と軸部３１１の一端に軸部３１１よりも拡径して形成された頭部３１２とを含み、これらが一体に形成された部材である。本例のボルト部材３１は、いわゆる六角ボルトであり、頭部３１２の断面の外形は六角形に形成されている。但し、ボルト部材３１は、六角ボルトでなくともよい。
【００４０】
図２等に示すように、ナット部材３２は、ボルト部材３１の軸部３１１に係合する部材である。ナット部材３２の内周面にはネジ溝が形成されており、ナット部材３２のネジ溝とボルト部材３１の軸部３１１のネジ山とが噛み合うことで、ナット部材３２と軸部３１１とが係合する。本例のナット部材３２は、いわゆる六角ナットであり、断面の外形が六角形に形成されている。但し、ナット部材３２は、六角ナットでなくともよい。
【００４１】
取付具１０では、軸部３１１を貫通孔１１ａ及び貫通孔２１ａに挿入可能であり、頭部３１２は貫通孔２１ａに挿入できず、ナット部材３２は貫通孔１１ａに挿入できないように、貫通孔１１ａ、貫通孔２１ａ、軸部３１１、及び頭部３１２の寸法が設定されている。図５に示すように、取付具１０では、頭部３１２がベース部２１よりも下側に位置するように軸部３１１が貫通孔１１ａ及び貫通孔２１ａに挿入されることで、軸部３１１が支持部１１及びベース部２１を上下に貫通している。そして、図２に示すように、軸部３１１における本体部１１１よりも上側で且つ取付部４１よりも下側の部位にナット部材３２が係合している。これにより、支持部１１及びベース部２１がナット部材３２及び頭部３１２によって上下から挟まれている。ここで、図２に示すように、ベース部２１の規制部２１ｂが頭部３１２に係合することで、ボルト部材３１の軸部３１１回りの回動が規制されている。これにより、作業者がボルト部材３１を手で保持しなくともナット部材３２を軸部３１１回りに回動操作するのみでナット部材３２及びボルト部材３１（ひいては頭部３１２）が軸部３１１回りに相対回動する。ナット部材３２及び頭部３１２の軸部３１１回りの相対回動により、ナット部材３２が軸部３１１に沿って移動する。これにより、ナット部材３２及び頭部３１２の軸部３１１の軸方向における互いの距離が変更可能となっている。
【００４２】
取付具１０は、ナット部材３２及び頭部３１２の相対回動によるナット部材３２と頭部３１２との距離の変更により、図２に示すようにナット部材３２及び頭部３１２によって
支持部１１とベース部２１とが締結された締結状態や、図４に示すように締結状態のときよりもナット部材３２と頭部３１２とが離間して締結が解除された解除状態になることができる。本例では、ナット部材３２が本発明に係る「上側の締結部材」の一例であり、頭部３１２が本発明に係る「下側の締結部材」の一例である。
【００４３】
図４に示すように、コイルスプリング３３は、支持部１１とナット部材３２との間に設けられた圧縮バネであり、螺旋状に巻回された線材により形成されている。コイルスプリング３３は、支持部１１の本体部１１１とナット部材３２との間で軸部３１１に装着されている。そのため、コイルスプリング３３の軸方向と軸部３１１の軸方向とが平行となっている。
【００４４】
ここで、図６は、コイルスプリング３３を示す図であって、図６（ａ）はコイルスプリング３３の側面図、図６（ｂ）はコイルスプリング３３の伸縮部の軸方向視図である。図６（ａ）に示すように、コイルスプリング３３は、底部３３ａと頂部３３ｂと伸縮部３３１とを含んでいる。底部３３ａは、コイルスプリング３３の下端を形成する座巻である。頂部３３ｂは、コイルスプリング３３の上端を形成する座巻である。伸縮部３３１は、底部３３ａと頂部３３ｂとを接続し、荷重により軸方向に伸縮する部位である。
【００４５】
図６（ａ）に示すように、コイルスプリング３３は、線材が底部３３ａから頂部３３ｂに向かうに従って徐々に縮径するように巻回された、いわゆるテーパスプリングとして形成されている。ここで、図６（ｂ）に示すように、コイルスプリング３３において伸縮する伸縮部３３１は、軸方向視において線材が渦巻状を形成している。つまり、伸縮部３３１における線材は、ボルト部材３１の軸方向において線材が重ならないように、当該軸方向に沿って徐々に縮径するように巻回されている。
【００４６】
コイルスプリング３３は、図４に示す解除状態において自然長よりも縮み且つ全圧縮の状態（最も縮んだ状態）よりも伸びた状態となるように、支持部１１とナット部材３２との間に設けられている。これにより、解除状態において、ナット部材３２がコイルスプリング３３によって上方へ付勢されている。ナット部材３２が上方に付勢されることで、軸部３１１を介してナット部材３２に連結された頭部３１２も上方に付勢される。これにより、頭部３１２がベース部２１を支持部１１の本体部１１１へ押しつけ、第１挟持部材１と第２挟持部材２の相対移動が抑制される。そのため、解除状態においては、コイルスプリング３３の付勢力によって一対の挟持部材１,２の第１の姿勢が維持される。
【００４７】
ワッシャー３４は、コイルスプリング３３とナット部材３２との間において軸部３１１に装着された環状の部材である。そのため、ワッシャー３４の軸方向と軸部３１１の軸方向とが平行となっている。図７は、コイルスプリング３３とワッシャー３４の状態を示す断面図である。図７に示すように、ワッシャー３４は、コイルスプリング３３の軸とワッシャー３４の軸とが一致した状態（即ち、調芯された状態）でコイルスプリング３３に載置されている。ここで、ワッシャー３４は、いわゆるコーンワッシャーであり、図７に示すように外周縁３４ａから内周縁３４ｂに向かうに従って上側へ傾斜した環状に形成されている。そのため、ワッシャー３４とワッシャー３４との横ずれが抑制され、コイルスプリング３３の軸とワッシャー３４の軸とが調芯された状態が維持されている。
【００４８】
図３等に示すように、ナット部材３５は、ボルト部材３１の軸部３１１に係合することで、挟着部材４を固定する部材である。ナット部材３５は、軸部３１１における取付部４１よりも上側の部位に係合することで取付部４１を締結している。これにより、押圧部４３が太陽光発電パネルＰ１を押圧した状態で挟着部材４が固定されている。
【００４９】
［エンド用の取付具］
次に、取付具２０について説明する。図８は、取付具２０によって太陽光発電パネルＰ１がハゼ部１０１に取り付けられた状態を示すＸ方向視図である。図９は、取付具２０によって太陽光発電パネルＰ１がハゼ部１０１に取り付けられた状態を示すＹ方向視図である。図１０は、取付具２０の分解斜視図である。図８〜図１０に示すように、エンド用の取付具２０は、挟着部材４に代えて挟着部材５を備える点でミドル用の取付具１０と相違し、その他の点は概ね取付具１０と同様である。そのため、挟着部材５を中心に説明し、その他の取付具１０と同様の構成については同一の符号を付すことで詳細な説明は割愛する。
【００５０】
図９に示すように、挟着部材５は、エンド用の部材であり、ハゼ部１０１の延在方向（Ｘ方向）に並んで配置された複数の太陽光発電パネルＰ１において、ハゼ部１０１の延在方向の両端に位置する縁部を上から押さえつける。挟着部材５は、取付部５１と起立部５２と押圧部５３とを含む。
【００５１】
取付部５１は、連結具３を介して第１挟持部材１の本体部１１１と連結される部分であり、Ｚ方向に直交すると共にＹ方向に長尺な矩形状の板状に形成されている。図１０に示すように、取付部５１には、連結具３の軸部３１１が挿入される孔である貫通孔５１ａがＺ方向に貫通している。起立部５２は、本体部１１１のＸ方向の一側端から上方に延びる板状に形成されている。図９に示すように、起立部５２が太陽光発電パネルＰ１の側縁にＸ方向から当接することで、太陽光発電パネルＰ１のＸ方向における位置ずれが規制されている。押圧部５３は、図９に示すように太陽光発電パネルＰ１を上から押圧する部分である。押圧部５３は、起立部５２の上端に設けられており、Ｚ方向と直交する板状に形成されている。押圧部５３が太陽光発電パネルＰ１の縁部を上から押圧することで、太陽光発電パネルＰ１が挟着部材５の押圧部５３と支持部１１の載置部１１３との間に挟着される。
【００５２】
［パネルの取付方法］
図１１〜図１５は、取付具１０をハゼ部１０１に固定する方法を説明するための図である。図中の符号Ｈ１は、作業者の手を示す。以下、図面を参照しながら太陽光発電パネルＰ１のハゼ部１０１への取付方法を説明する。
【００５３】
まず、図１１に示すように取付具１０を用意する。実施形態に係る取付具１０は、図１１に示すようにナット部材３２と頭部３１２とによる締結が解除された解除状態で出荷され、挟着部材５及びナット部材３５は未だ取り付けられていない。上述のように、解除状態では、ナット部材３２がコイルスプリング３３によって上方へ付勢されることにより頭部３１２がベース部２１を支持部１１へ押しつけることで、一対の挟持部材１，２の第１の姿勢が維持されている。また、第１の姿勢では、係合部２４が突出部１４に係合することで、第２挟持部材２が第１挟持部材１に対して所定の位置に位置決めされている。
【００５４】
次に、図１２に示すように、作業者が第１挟持部材１を把持した状態でコイルスプリング３３の付勢力に抗してナット部材３２を下方に押し込むと、頭部３１２によるベース部２１の押しつけが解除されることで、ベース部２１が支持部１１から離れる。その結果、第１当接端部１２と第２当接端部２２とが離間し、第１当接端部１２と第２当接端部２２との間にハゼ部１０１を受け入れ可能となる。ここで、一対の挟持部材１，２の姿勢であって図１２に示すようにハゼ部１０１を第１当接端部１２と第２当接端部２２との間に受け入れ可能な姿勢を、「第２の姿勢」とする。一対の挟持部材１，２が図１１に示す第１の姿勢から図１２に示す第２の姿勢に至る過程では、第２挟持部材２の係合部２４が第１挟持部材１の突出部１４をスライドすることで、第２挟持部材２の移動が案内される。突出部１４及び係合部２４が下方に向かうに従って第２方向Ｆ２側へ傾斜しているため、第２挟持部材２は、下方に移動するに従って第２方向Ｆ２側へ移動することとなる。つまり
、第２挟持部材２が斜めに移動する。その結果、第１当接端部１２と第２当接端部２２との間にＹ方向（ハゼ部１０１の幅方向）の間隔が確保される。
【００５５】
次に、図１３に示すように、作業者は、ナット部材３２を下方に押し込んで第２の姿勢を維持した状態でハゼ部１０１を第１当接端部１２と第２当接端部２２との間に受け入れる。
【００５６】
次に、図１４に示すように、第１当接端部１２と第２当接端部２２との間にハゼ部１０１が受け入れられた状態で作業者がナット部材３２に対する下方への押し込みを解除すると、ナット部材３２の付勢力により頭部３１２がベース部２１を支持部１１へ再び押しつけ、一対の挟持部材１，２が第２の姿勢から第１の姿勢に至る。これにより、第１挟持部材１の第１当接端部１２がハゼ部１０１の第１側面Ｓ１に当接し、第２挟持部材２の第２当接端部２２がハゼ部１０１の第２側面Ｓ２に当接し、ハゼ部１０１が一対の挟持部材１，２に挟持される。そして、コイルスプリング３３の付勢力によって一対の挟持部材１，２の第１の姿勢が維持されるため、ハゼ部１０１が一対の挟持部材１，２に挟持された状態も維持される。
一対の挟持部材１，２が第２の姿勢から第１の姿勢に至る過程では、第２挟持部材２の係合部２４が第１挟持部材１の突出部１４をスライドすることで、第２挟持部材２が所定の位置に案内される。その結果、係合部２４が突出部１４に係合し、第２挟持部材２が第１挟持部材１に対して所定の位置に位置決めされる。
【００５７】
次に、作業者がレンチ等の工具を用いてナット部材３２を軸部３１１回りに回動操作することで、ナット部材３２と頭部３１２との距離を縮め、図１５に示すようにナット部材３２及び頭部３１２によって支持部１１とベース部２１とを締結し、取付具１０を締結状態とする。取付具１０が締結状態となることで、第１挟持部材１と第２挟持部材２との相対移動が規制され、一対の挟持部材１，２が第１の姿勢に固定される。これにより、取付具１０がハゼ部１０１に固定される。
【００５８】
ここで、図１６は、取付具１０の締結状態におけるコイルスプリング３３及びワッシャー３４の状態を模式的に示す断面図である。図１６に示すように、締結状態では、圧縮されたコイルスプリング３３の弾性力がワッシャー３４を介してナット部材３２に作用することでナット部材３２とワッシャー３４との間の摩擦力が増し、ナット部材３２が緩み難くなっている。つまり、コイルスプリング３３とワッシャー３４との組み合わせが、いわゆるスプリングワッシャーのように緩み止めとして機能している。
【００５９】
取付具１０をハゼ部１０１に固定した後は、取付具２０をハゼ部１０１に固定する。なお、取付具２０を取付具１０よりも先に固定してもよい。エンド用の取付具２０は、ミドル用の取付具１０と同様の手順でハゼ部１０１に固定できるため、説明は割愛する。
【００６０】
取付具１０及び取付具２０をハゼ部１０１に固定した後は、挟着部材４，５を用いて太陽光発電パネルＰ１を取付具１０及び取付具２０に固定する。まず、取付具１０では、図２及び図３に示すように、支持部１１の載置部１１３に太陽光発電パネルＰ１を載置した状態で挟着部材４を連結具３に取り付けることで、太陽光発電パネルＰ１を挟着部材４の押圧部４３によって上から押さえつける。これにより、支持部１１の本体部１１１と挟着部材４の押圧部４３との間に太陽光発電パネルＰ１が挟着され、太陽光発電パネルＰ１が取付具１０に固定される。取付具２０でも同様に、図８及び図９に示すように、支持部１１の本体部１１１と挟着部材５の押圧部５３との間に太陽光発電パネルＰ１を挟着することで、太陽光発電パネルＰ１が取付具２０に固定される。以上のようにして、太陽光発電パネルＰ１がハゼ部１０１に取り付けられる。
【００６１】
［作用・効果］
以上のように、本実施形態では、ナット部材３２及び頭部３１２によって支持部１１とベース部２１とが締結された締結状態において、一対の挟持部材１，２が、ハゼ部１０１を第１当接端部１２と第２当接端部２２とによって挟持可能な第１の姿勢に固定される。更に、締結が解除された解除状態では、ナット部材３２がコイルスプリング３３により上方に付勢されることで、一対の挟持部材１，２の第１の姿勢が維持されるように頭部３１２がベース部２１を支持部１１へ押しつける。そして、コイルスプリング３３の付勢力に抗してナット部材３２が下方に押し込まれると、頭部３１２によるベース部２１の押しつけが解除されることで、一対の挟持部材１，２が、ハゼ部１０１を第１当接端部１２と第２当接端部２２との間に受け入れ可能な第２の姿勢となる。
【００６２】
これによると、ナット部材３２を下方に押し込んで一対の挟持部材１，２を第２の姿勢にしてハゼ部１０１を第１当接端部１２と第２当接端部２２との間に受け入れた状態で、ナット部材３２に対する下方に押し込みを解除するのみで、付勢部材の付勢力によって挟持部材が第２の姿勢から第１の姿勢に至り、ハゼ部１０１が一対の挟持部材１，２に挟持されることとなる。そして、コイルスプリング３３の付勢力によって一対の挟持部材１，２の第１の姿勢が維持されるため、ハゼ部１０１が一対の挟持部材１，２に挟持された状態も維持される。これによれば、一対の挟持部材１，２を第２の姿勢から第１の姿勢へ変化させる動作や第１の姿勢を維持させる動作がコイルスプリング３３の付勢力によってなされるため、作業者の手によってこれらの動作を行う負担が低減される。その結果、折板屋根１００に太陽光発電パネルＰ１を設置する作業を容易化できる。また、解除状態においてもコイルスプリング３３の付勢力によって一対の挟持部材１，２が第１の姿勢に維持されるため、取付具１０及び取付具２０の出荷時・移送時において締結状態にしなくとも分解したり部品がガタついたりする虞がない。また、出荷時・移送時に取付具１０及び取付具２０を締結状態にしておくと、ハゼ部１０１への取付時に一対の挟持部材１，２を第２の姿勢とするために、一旦解除状態にする作業が必要となるが、取付具１０及び取付具２０を予め解除状態にしておくことで、上記作業を省くことできる。
【００６３】
更に、本実施形態では、軸部３１１と頭部３１２とを含むボルト部材３１と、軸部３１１に係合したナット部材３２と、を一対の挟持部材１，２の連結に用いており、ナット部材３２を上側に設け、頭部３１２を下側に設け、支持部１１及びベース部２１を上下から挟むように構成されている。これによれば、取付具１０及び取付具２０の組み立てにおいては、一対の挟持部材１，２から貫通した状態の軸部３１１に対してナット部材３２を上から取り付け、締め付け動作をすることとなる。そのため、ナット部材３２を下から取り付ける場合と比較して、取付具１０及び取付具２０の組み立てを容易化できる。但し、本発明は、ナット部材３２を上側に設け、ボルト部材３１の頭部３１２を下側に設ける態様に限定されない。図１７は、実施形態の変形例に係る取付具１０Ａを示す図である。図１７に示す取付具１０Ａのように、ナット部材３２を下側に設け、頭部３１２を上側に設け、支持部１１及びベース部２１を上下から挟むように構成してもよい。図１７に示す例では、ナット部材３２が本発明に係る「下側の締結部材」に相当し、ボルト部材３１の頭部３１２が本発明に係る「上側の締結部材」に相当する。
【００６４】
また、本実施形態では、コイルスプリング３３において軸部３１１の軸方向に伸縮する伸縮部３３１の線材が、軸部３１１の軸方向において線材が重ならないように、当該軸方向に沿って徐々に縮径するように巻回されている。これによれば、図１６に示すように締結状態において伸縮部３３１が圧縮されていても線材が重ならないため、コイルスプリング３３の横ずれが抑制される。その結果、締結状態においてコイルスプリング３３の姿勢が安定し、ナット部材３２を緩み難くすることができる。また、伸縮部３３１における線材が軸部３１１の軸方向に沿って下側から上側に向かうに従って縮径するように巻回されている。これにより、コイルスプリング３３の姿勢が安定する。なお、本発明に係る付勢
部材は、コイルスプリングに限定されない。
【００６５】
また、本実施形態に係る連結具３は、コイルスプリング３３とナット部材３２との間において軸部３１１に装着されたワッシャー３４を更に含み、ワッシャー３４は、外周縁３４ａから内周縁３４ｂに向かうに従って上側へ傾斜した環状に形成されている。これによれば、コイルスプリング３３とワッシャー３４との組み合わせによっていわゆるスプリングワッシャーのような緩み止めの効果を得ることできる。また、ワッシャー３４がテーパ状に形成されているため、コイルスプリング３３とワッシャー３４との横ずれが抑制され、コイルスプリング３３の軸とワッシャー３４の軸とが調芯された状態を維持できる。その結果、より一層ナット部材３２を緩み難くすることができる。なお、ワッシャー３４は、本発明の必須の構成ではない。
【００６６】
また、本実施形態では、支持部１１から下方に突出した突出部１４が第１挟持部材１に設けられ、第１の姿勢において突出部１４と係合する係合部２４が第２挟持部材２に設けられ、第１の姿勢では、係合部２４が突出部１４に係合することで、第２挟持部材２が第１挟持部材１に対して所定の位置に位置決めされ、第２の姿勢から第１の姿勢に至る過程では、係合部２４が突出部１４をスライドすることで第２挟持部材が当該所定の位置に案内される。これによると、第２の姿勢から第１の姿勢に至る過程において第２挟持部材が所定の位置に案内されるため、第１の姿勢への移行を円滑に行うことができる。なお、突出部１４及び係合部２４は、本発明の必須の構成ではない。
【００６７】
更に、本実施形態に係る取付具１０，２０は、軸部３１１に取り付けられ、支持部１１に支持された太陽光発電パネルＰ１を上から押さえつけることで支持部１１との間に太陽光発電パネルＰ１を挟着する挟着部材４，５を更に備えている。つまり、本実施形態では、軸部３１１を利用して太陽光発電パネルＰ１を挟着することができる。なお、挟着部材４及び挟着部材５は、本発明の必須の構成ではない。例えば、ボルト部材とナット部材を用いて太陽光発電パネルＰ１を支持部１１の本体部１１１に締結してもよい。
【００６８】
＜その他＞
上記実施形態では、太陽光発電パネルを折板屋根に取り付ける例を示したが、取り付けるパネルは、太陽光発電パネルに限らず、パワーコンディショナや太陽熱温水器など、少なくとも取付具に支持される部分がパネル状のものであれば、他の装置であってもよい。例えば、看板や、表示装置、エアコンの室外機を固定するためのパネルなどであってもよい。
【符号の説明】
【００６９】
１        ：第１挟持部材
２        ：第２挟持部材
３        ：連結具
４，５    ：挟着部材
１０      ：取付具
１００    ：折板屋根
Ｐ１      ：太陽光発電パネル
【要約】      （修正有）【課題】折板屋根上にパネルを設置する作業を容易化できる技術を提供する。【解決手段】パネルの取付具１０において、上側の締結部及び下側の締結部によって支持部１１とベース部２１とが締結された締結状態では、一対の挟持部材１、２は、ハゼ部を第１当接端部１２と第２当接端部２２とによって挟持可能な第１の姿勢に固定され、締結状態のときよりも上側の締結部と下側の締結部とが離間することで締結が解除された解除状態では、上側の締結部が付勢部材により上方に付勢されることで、一対の挟持部材１、２の第１の姿勢が維持されるように下側の締結部がベース部２１を支持部１１へ押しつけ、付勢部材の付勢力に抗して上側の締結部が下方に押し込まれると、下側の締結部によるベース部２１の押しつけが解除されることで、一対の挟持部材１、２が、ハゼ部を第１当接端部１２と第２当接端部２２との間に受け入れ可能な第２の姿勢となる。【選択図】図４【図１】
0006823754.tif 000002
【図２】
0006823754.tif 000003
【図３】
0006823754.tif 000004
【図４】
0006823754.tif 000005
【図５】
0006823754.tif 000006
【図６】
0006823754.tif 000007
【図７】
0006823754.tif 000008
【図８】
0006823754.tif 000009
【図９】
0006823754.tif 000010
【図１０】
0006823754.tif 000011
【図１１】
0006823754.tif 000012
【図１２】
0006823754.tif 000013
【図１３】
0006823754.tif 000014
【図１４】
0006823754.tif 000015
【図１５】
0006823754.tif 000016
【図１６】
0006823754.tif 000017
【図１７】
0006823754.tif 000018